(57)【要約】【課題】素早く泳ぐ魚、海底や水底にへばりついている魚やナマコ、表面が滑りやすく針が引っ掛かりにくいイカ、カニなど、あらゆるものを引っ掛けることのできる釣具を提供する。【解決手段】途中に少なくとも１つの針が取り付けられた釣り糸の末端に取り付けられる釣具であって、板状の翼１の重心よりも端部に錘２を取り付け、翼１の面よりも厚み方向に延長した箇所に釣り糸１０の末端を結合する結合環３を設け、必要に応じて尾翼４を設けた釣具。実際に釣るときには、針をそれほど獲物に近付けなくても、ある程度まで寄せれば、勢いよく引くことにより、末端の翼１が水中を釣り糸１０と垂直方向に近い方向にスライドし、魚等を巻き込むように進む。釣り糸１０が魚に触れても、ほとんど同時に針が当たり引っ掛かる。しかも当たった針は、釣り糸１０で針の上下を魚に向かって押さえつけているため、魚の表面を滑ることなく、確実に魚に刺さる。【選択図】  図１
2005110551.tif 000002
【特許請求の範囲】
【請求項１】
釣り糸の末端に取り付けられる釣具であって、板状の翼の重心よりも端部に錘を取り付け、前記翼の面よりも厚み方向に延長した箇所に前記釣り糸の末端を結合する結合部を設けたことを特徴とする釣具。
【請求項２】
前記翼の重心に対して前記錘を取り付けた箇所と反対側に、前記重心の方向を向く垂直尾翼を設けたことを特徴とする請求項１記載の釣具。
【請求項３】
前記翼に取り付けた錘の端部に、前記翼と平行な補助翼を設けたことを特徴とする請求項１記載の釣具。
【請求項４】
前記錘の下部に釣り針を設けたことを特徴とする請求項１から３のいずれかの項に記載の釣具。
【請求項５】
前記翼の後部に釣り針を取り付けたことを特徴とする請求項１から４のいずれかの項に記載の釣具。
【請求項６】
前記翼が、擬似餌の形態をしていることを特徴とする請求項１記載の釣具。
【請求項７】
板状の翼の重心位置よりも端部の下部に釣り糸との結合部を設け、この結合部とは前記重心位置に対して反対側に釣り針を取り付けたことを特徴とする釣具。
【発明の詳細な説明】
【技術分野】
【０００１】
本発明は、魚等を釣り針で引っ掛けて釣る釣具および疑似餌としての釣具に関する。
【背景技術】
【０００２】
餌を付けずに魚等を引っ掛けて釣る釣具としては、「ボラ掛け」、「ハゲ掛け」、「鮎の引っ掛け釣り」という名称の製品が販売されている。
【０００３】
「ボラ掛け」は、単純に大きな３本針を釣り糸の末端に取り付け、魚の下から勢いよく引っ掛けて釣る釣具である。魚をうまく引っ掛けるには、針を勢いよく引いたときに、針先が魚に引っ掛からなければならないため、図１２（ａ）から（ｂ）に示すように、釣り糸が魚にギリギリ当たる寸前で引っ掛けることが必要である。しかし、糸に当たると魚は驚いて逃げてしまう。逆に、寄せ方が浅いと、図１３（ａ）から（ｂ）に示すように、魚に少ししか掛からないため、針はウロコで滑ってしまう。だからといって、図１４に示すように魚の大きさと丸みに合わせて針を大きくすると目立ちすぎて魚も逃げやすく、針を素早く動かせなくなり逃げられる。ボラのように警戒心が薄い魚は、何とか引っ掛けることはできるが、それでも簡単には引っ掛からない。
【０００４】
「ハゲ掛け」も、同じく釣り糸の末端に取り付ける釣具である。仕掛けは、放射状に広がった針金の先端に多くの針が取り付けられており、引っ掛かる領域を広くしたものである。これは、カワハギという極端に動きが鈍い魚には有効な釣具である。しかし、仕掛けが大きいため普通の魚は驚いて逃げてしまう。仮に逃げずに近付けたとしても、大きく重いため素早く針を動かすことができず、カワハギのような動きが鈍い魚以外は逃げてしまう。
【０００５】
「鮎の引っ掛け釣り」は、川で群れている鮎を引っ掛けるもので、釣り糸に連続して針を付けた仕掛けを流れの中にころがして、そのうち鮎が引っ掛かって釣れるものである。流れがあるからこそ針が暴れて引っ掛かる仕組みである。狙って釣れる仕組みではない。
【０００６】
疑似餌としての釣具としては、「フライフィッシングでの毛針」、「メタルジグ」「ミノープラグ」、「クランベイト」というようなタイプの製品が販売されている。
【０００７】
軽量感があり俊敏に動かせる疑似餌として「フライフィッシングでの毛針」があるが、軽量であるために深く潜らせることは困難であった。オモリを付けたものもあるが、重さゆえに軽快で俊敏な動きが困難なものであった。
【０００８】
深く沈むことができるメタルジグでは重さのために小刻みで俊敏な動きが困難であったり、疑似餌をゆっくりもしくは止めるような動きをさせると重さのために深く沈んでしまう。
【０００９】
大きな容積と浮力を保有するミノーやクランクベイトは、リップにより下向きの揚力を受け、深く沈むことができるが、本体を形成する浮力体の抵抗は大きく、小刻みで俊敏な動きは困難であった。特に左右に連続して振れながら潜行するため、その抵抗も大きい。
【００１０】
「フライフィッシングでの毛針」、「メタルジグ」「ミノープラグ」、「クランベイト」のいずれの疑似餌も水面からの深さを調整することは、できなくもないが、底からの高さを調整することは困難であった。
【００１１】
釣具に翼を付けた構造として、実開昭５７−５２１７７号公報に開示された釣具用天秤や、特開平１１−２３５１４２号公報に開示されたものがある。いずれもオモリに翼を形成するプレートを取り付けたものであり、いずれも上昇する作用が働くものであって、潜行するための構造とはなっていない。一方、重量が大きく小刻みで俊敏な動作を必要とする用途での使用も困難なものである。
【００１２】
【特許文献１】実開昭５７−５２１７７号公報
【特許文献２】特開平１１−２３５１４２号公報
【発明の開示】
【発明が解決しようとする課題】
【００１３】
魚等を引っ掛けて釣る釣具としては、上述したように、従来の引っ掛け釣り用の釣具では、釣り糸を引くと釣り糸のライン上で釣り針が直線状に引っ張られるために、釣り針が獲物に引っ掛かる前に釣り糸が触れて逃げられたり、釣り針が触れても獲物にうまく引っ掛からないという問題があった。
【００１４】
本発明は、素早く泳ぐ魚、海底や水底にへばりついている魚やナマコ、表面が滑りやすく針が引っ掛かりにくいイカ、カニなど、あらゆるものを引っ掛けることのできる釣具を提供することを目的とする。
【００１５】
疑似餌としての釣具では、「フライフィッシングでの毛針」、「メタルジグ」「ミノープラグ」、「クランベイト」というようなタイプの製品が販売されているが、いずれも小刻みで軽快かつ俊敏な動きを深く潜行させるとともに達成することは困難であった。また、いずれの疑似餌も水面からの深さを調整することはできなくもないが、底からの高さを調整することは困難であった。
【００１６】
本発明は、深く潜行させるとともに小刻みで軽快かつ俊敏な動きを可能とできる釣具を提供することを目的とする。
【課題を解決するための手段】
【００１７】
本発明は、前記２つの課題を解決するため、いずれの場合も、板状の翼の重心よりも端部に錘を取り付け、前記翼の面よりも厚み方向に延長した箇所に前記釣り糸の末端を結合する結合部を設けたスライド板を利用したものである。
【００１８】
魚等を引っ掛けて釣る釣具としての本発明の構成は、釣り糸の末端に取り付けられる釣具、もしくは針と一体となった釣具であって、板状の翼の重心よりも端部に錘を取り付け、前記翼の面よりも厚み方向に延長した箇所に前記釣り糸の末端を結合する結合部を設けたものである。
【００１９】
本発明の釣具は、魚等の獲物を引っ掛ける針は小さく、釣り糸の末端ではなく途中に結ぶ。針は単数でも、連続して２個、３個、４個と複数付けることも可能である。
さらに下方の末端に、「凧の原理」を応用した翼を取り付けている。これにより、引っ掛けるときに翼が揚力を発生し、末端の翼はライン張力方向と角度をもって進む。この方向を引っ掛ける対象物の方向に向ければ、針先の軌跡は針の懐以上の範囲を走ることになる。
【００２０】
したがって、実際に釣るときには、針をそれほど獲物に近付けなくても、ある程度まで寄せれば、勢いよく引くことにより、末端の翼が水中を釣り糸と角度を持ってスライドし、魚等を巻き込むように進む。ラインが魚に触れても、ほとんど同時に針が当たり引っ掛かる。しかも当たった針は、釣り糸で針の上下を魚に向かって押さえつけているため、魚の表面を滑ることなく、確実に魚に刺さる。
したがって、魚の丸みを考慮して、表面を滑らないような大きな針を使う必要もなく、比較的小さな針で引っ掛けることが可能である。
【００２１】
小さな針にすることで、ほとんどの魚やイカ、カニ等に対しても警戒心を与えずに近づくことができる。そして、極端に近づかない間合いから、竿を振り上げても、針を対象物に巻き付かせるように滑らせて引っ掛けることができる。
素早く泳ぐ魚、表面が滑りやすく針が引っ掛かりにくい魚やイカを引っ掛けることができる。しかも糸が巻き付くように走るため、針掛かりする部分は腹部分の柔らかい部分に当てることができる。このため、針掛かりしやすく捕獲率も上がる。
【００２２】
前記翼の重心に対して前記錘を取り付けた箇所と反対側に、重心の方向を向く垂直尾翼を設けることにより、本釣具が水中を走るときにラインを引く方向に素早く追従し回頭するため安定して進むことができる。
さらに、前記翼に取り付けた錘の端部に、翼と平行な補助翼を設けることにより、双翼機のような形態で、全体の翼の大きさが小さく見える構造とすることもできる。
【００２３】
さらに、錘の下部または翼の後部に釣り針を設け、翼と釣り針を一体型にすると、海底にへばりついている魚やナマコも狙える対象とすることができる。
【００２４】
疑似餌としての釣具では、上記翼がライン張力方向に追従して軽快で俊敏、かつ潜航できる仕組みを応用し、翼単体を擬似餌として利用することができる。
【００２５】
上記、翼の後方に、針を取り付けることにより、そのまま軽快で俊敏、かつ潜航させることができる疑似餌となる。翼形状を板状から多少変形させて自由なデザインとすることもできる。
【００２６】
さらに応用として、前方錘を取り除き、重心位置を後方にすると潜航せず凧のように上昇する。この仕組みを利用し、投げ釣りの錘の後方に凧のような仕組みをもつ擬似餌を取り付ければ、遠投して引いてくるときに底から一定の高さを保つ擬似餌とすることができる。
【発明の効果】
【００２７】
本発明によれば、釣具は、重量が小さく抵抗も小さいため、素早い動きと軽やかな動きができると同時に、軽量で抵抗が少ないため飛行効率が良く、ラインを引く方向と角度を持ってスライドできる。このために、舟や防波堤など上からの操作に対して釣具を横方向に俊敏に動かすことができる。
さらに軽量であるため、フライフィッシングでの利用も可能である。しかも着水後にラインを引くと軽量であるにも拘わらず潜航できるため、深い場所も攻めることができる。
従来の釣具では、錘により潜航させる場合には、ラインを素早く引くと浮き上がる傾向があるが、本発明の構造の場合は、素早く引いても下向きの揚力により潜航する。
【発明を実施するための最良の形態】
【００２８】
以下、本発明の実施の形態について説明する。
（第１実施形態）
図１〜図３は本発明の第１実施形態を示すもので、図１（ａ）は正面図、（ｂ）は側面図、（ｃ）は平面図である。図２は本実施形態の動作説明図である。図３は本実施形態の釣具Ａを用いて中層魚を引っ掛け釣りしている状態の説明図である。
【００２９】
図１において、本実施形態の釣具は、板状の翼１と、この翼１の重心よりも前方に取り付けられた錘２と、錘２の上部に取り付けた結合環３と、翼１の後方に取り付けた尾翼４とを有している。
翼１は、金属でもプラスチックでも木製でもよく、基本的には平板とする。尾翼４は、原理的には無くてもよいが、取り付けた方が、ラインを引く方向に翼1が素早く回頭し、追従性がよくなる。
この釣具は、結合環３に釣り糸１０の先端を結びつけて使用する。釣り糸１０には、結合環３の上方に少なくとも１つの釣り針を取り付ける。
【００３０】
図２を用いて本実施形態の潜航作用を説明する。
１）下向きの揚力を得るための原理
翼１は、飛行機や凧、パラグライダーと同様の機能を有する。例えば飛行機は、翼の上面と下面の圧力差によって揚力が発生し、飛行する。その飛行の仕組みは、翼の形状による揚力や翼が流れと当たる角度（仰角）による揚力によって決まる。本実施形態の翼１では水中での揚力は下向きに掛かる。スライド方向（水流）に対して翼１が角度をもって衝突し、水流の向きを変える。これで下向きの揚力が発生する。
また、凧が安定した姿勢を保つためには、凧から一定の距離離れた位置から数本に分かれた糸が凧の左右上下に結合されており、糸を引く方向に対する凧の角度が一定の角度に維持されていることで、受けた風による揚力が作用するからである。凧に相当するのが翼１であり、凧糸に相当するのが釣り糸１０である。
次に、各方向別に、姿勢制御の詳細を説明する。
【００３１】
２）ピッチング（上下方向）のバランス調整
翼と水流との角度（仰角）を大きくしすぎると、飛行機は「失速」と呼ばれる現象が起こる。つまり、飛行機や凧は機首が上がりすぎると失速するので、機首が適度な角度を保つような様々な工夫が必要となる。飛行機の場合は、補助翼によるピッチング制御がほとんどであるが、本実施の形態の翼は、凧の原理や振り子の原理による姿勢制御がメインとなっている。
「振り子の原理」を応用した姿勢制御では、パラグライダーがその一つである。パラグライダーには主翼しかなく、補助翼がない。にも拘わらず安定して滑空する。それは、錘が左右に動いても、必ず元の位置に戻ろうとする振り子の原理が働くためである。パラグライダーでは、人が錘の役目となって、下にぶら下がっている。しかも人と翼となる部分は数十本の糸で結ばれており、人（錘）の動きと連動して翼の角度（仰角）が動くことにより安定するようになっている。しかも、速度がない失速状態でも、安定性を維持することができる。これは、静止状態でも姿勢を制御できるということである。本実施形態の翼は、この仕組みを組み合わせて採用している。一つは、ライン（釣り糸）接続点を支点とした錘の振り子の原理で、もう一つは、上方からのライン張力と翼による凧の原理でのピッチング制御である。簡単にいうと、凧の頭に錘が付いており、真っ逆さまに急降下しながら、さらに下向きの揚力が発生している状況である。
【００３２】
３）ローリング（横傾き方向）のバランス調整
飛行機が横倒しになったときに元に戻るように制御することである。
・上反角によるローリング制御
飛行機では、翼を少し上に反らせた構成となっており、これを上反角という。この角度があるため、飛行機が傾くと、落ちた側の方がより上から見た面積が広くなるため、揚力が増し、飛行機を元に戻すような力が働く。本実施形態の翼１では、ライン操作による素早い回頭性を必要としているために、この上反角はゼロとし、平面形状とすることにより、翼自身が直進性を出さないようにしている。つまり、進行方向は常にラインを引く方向に回頭する追従性が必要であり、これにより操作性がよくなる。
・振り子の原理（ライン接続点と錘）によるローリング制御
ライン接続点の下方に距離をとって錘２を取り付けることにより、振り子の原理を応用している。これにより、静止状態も含めてローリングに対するバランスを制御している。
・振り子の原理（ライン接続点と翼）によるローリング制御
ラインを引くときは、強力なライン張力が発生する。ライン接続点の下方に距離をとって翼１を位置させることにより凧の原理によるローリング方向の姿勢を維持している。
【００３３】
４）ヨーイング（左右方向）のバランス調整
飛行機を上から見て、重心を中心とした左右方向の回転運動を「ヨーイング」という。自動車のスリップに似ており、気体の向きと実際の飛行経路との間にギャップが生じる現象である。飛行機では、垂直尾翼が左右方向の風見安定の効果によってヨーイングを抑えている。本実施形態の翼では、ラインを引く方向に素早く回頭する追従性が必要であり、そのための仕組みを持たせている。
・振り子の原理（ライン張力方向法線と重心配置）によるヨーイング制御
ライン張力方向の法線よりも前方側に錘を配置し、重心を持ってくることにより、ライン張力方向の法線を軸に考えると重心となる位置が常に下となるような作用が働く。唯一、これによりヨーイングに対するバランスを制御している。しかも、ライン張力の軸に従う動きとなるため、ラインを引く方向に素早く回頭する追従性がある。
・垂直尾翼によるヨーイング制御
本実施形態の翼は、左右対称が確保されていれば、十分な直進性と回頭性を保つことができる。
しかしながら、魚やイカは突然左右に逃げたり、泳ぐスピードを変化させたりして避けようとする。釣り人は、この動きに合わせて狙うのであるが、その時に、素早い回頭性や、ラインを緩めて待ちの時間を作ったりする。その時に、少しでも不安定な姿勢とならないための仕組みとして、尾翼４は効果的に働く。
その場合、錘２の配置と逆になり、ライン張力方向の法線よりも後方側に尾翼４を配置することにより、ライン張力方向の法線を軸に考えると不安定な先翼式とならないで、状態を保持、もしくはライン方向への追従性がよくなるような作用が働く。
西洋凧のようにライン張力方向の法線より前方まで尾翼を配置すると、先翼式となり、左右どちらかに曲がる傾向となる。
【００３４】
５）静止状態やフリーフォールの姿勢制御
静止状態とは、水中で釣り糸から単にぶら下がった状態である。例えば防波堤の壁近くにいる魚を真上からそっと近付けて狙う場合である。この場合で重要なのは、引っ掛け動作に入ったら、すぐに翼の角度が最適となりやすい角度で待機しているかということと、わずかなライン操作で獲物に向かって回頭できるかということである。
フリーフォールとは、ラインを緩めて降下させる状態である。例えば、深い場所にいる獲物を狙うときの深さの調整や、高速で泳いでくる獲物に遭わせて狙っているときに、ラインを緩めて「待ち」の操作が必要なときである。
この場合に必要な姿勢とは、ひらひらと舞ったり、自然滑空したりせずに、素直に降下する状態が、操作性がよいと言える。
【００３５】
本実施形態では、図３（ａ）に示すように釣り糸１０の近く（釣り竿の方向）に魚Ｆが近づいた場合、釣り糸１０を強く引っ張ると、釣具Ａは魚Ｆの下に回り込むように飛行し、釣り針１１も釣具Ａに引っ張られて魚Ｆの下に回り込みながら釣り糸のライン方向に引っ張られる。これにより、魚Ｆの動体に釣り針１１が引っ掛かりやすくなる。
【００３６】
図４は、図１の構成で結合環３が錘２から延在して支持しているのに対し、尾翼４を延在して支持した構成の実施形態である。図４（ａ）は正面図、（ｂ）は側面図、（ｃ）は平面図である。動作説明図、状態説明は同様であるため省略する。
【００３７】
（第２実施形態）
図５および図６は本発明の第２実施例を示すものであり、図５（ａ）は正面図、（ｂ）は側面図、（ｃ）は平面図、図６は本実施形態の釣具Ｂを用いて低層魚を引っ掛け釣りしている状態の説明図である。
【００３８】
本実施形態においては、第１実施形態と同様に、板状の翼１と、この翼１の重心よりも前方に取り付けられた錘２と、錘２の上部に取り付けた結合環３と、翼１の後方に取り付けた尾翼４とを有するほか、錘２の下部に、釣り針５を取り付けたものである。本実施形態では、釣り針５の上部に結合環３を形成したものを、錘２で翼１に圧着して組み立てている。結合環３に、釣り糸の末端を結んで使用する。
この第２実施形態では、図６（ａ）に示すように、低層魚Ｆの居る海底に釣具Ｂを垂らし、釣り糸１０を強く引っ張ると、釣具Ｂの翼１が、海底を這うような動きで飛行するため、低層魚Ｆの下部に釣り針５が回り込むため、低層魚Ｆに引っ掛かりやすくなる。
【００３９】
（第３実施形態）
図７は、本発明の第３実施形態の釣具Ｃを示すもので、（ａ）は正面図、（ｂ）は側面図、（ｃ）は平面図である。
本実施形態では、翼２１の重心よりも前方に、翼２１と平行で所定の間隔を隔てた補助翼２３を、錘２２によって一体に結合したものである。そして、翼２１の前方に、錘２２の止め部で結合環２４を設け、この結合環２４に釣り糸１０を結ぶようにしたものである。
本実施形態は、双翼式の飛行機と同じ原理で、釣り糸を引いたときにライン方向と所定の角度を維持しながら水中を進行する。その他の動作原理は第１実施形態と同様であるので説明を省略する。
【００４０】
（第４実施形態）
図８は、本発明の第４実施形態の釣具Ｄを示すもので、（ａ）は正面図、（ｂ）は側面図、（ｃ）は平面図である。
本実施形態では、擬似餌の形態をとっており、釣具本体３１と、両側の翼３２と、釣具本体３１と翼３２を含めた全体の重心よりも前方に設けた錘３３と、結合環３４と、釣具本体３１の尾部に取り付けた釣り針３５を有している。
釣具本体３１は、木製やプラスチック製、金属製のいずれでも良い。
【００４１】
（第５実施形態）
図９および図１０は、本発明の第５実施形態の釣具Ｅを示すもので、図９の（ａ）は正面図、（ｂ）は側面図、（ｃ）は平面図である。図９は本実施形態の動作説明図である。
本実施形態では、翼４１の前方に錘４２を、釣り針４３の基端部に固定することで取り付けている。釣り針４３は翼４１の後方に位置する。釣り針４３のコーナー部に釣り糸の末端を結んで使用する。
この第５実施形態では、図１０に示すように釣り糸１０を引っ張ると、釣具Ｅは疑似餌として潜行する。第１実施形態と同様に軽量で抵抗が少ない翼は、俊敏で軽快な動きが可能である。
【００４２】
（第６実施形態）
図１１は、本発明の第６実施形態の釣具Ｆを示すもので、（ａ）は正面図、（ｂ）は側面図、（ｃ）は平面図である。この実施形態の釣具Ｆは、第５実施形態の釣具Ｅを、さらにフライフィッシングの毛針に似せた翼形状としたものである。
本実施形態では、翼４１の前方に錘４２を取り付け、後方に尾翼４４も設けている。尾翼４４は中空としており、釣り針４３は尾翼４４に差し込んで固定する。また、釣り針４３に結んだ釣り糸は、尾翼４４の先端の細い穴に通すことにより糸の方向性を保つことができるため、釣具Ｆがかなり小さくなっても糸から受ける力は真っ直ぐ均等な力を受けることとなり、安定した姿勢を保ちやすい。
なお、釣り針は、毛針同様に毛４６を巻くこともできる。また、釣り針４３は、既製品の毛針をそのまま利用することもできる。さらに、前記尾翼４５は、中空でなくとも、針を横からはめる形状でもよい。
【００４３】
（第７実施形態）
図１２および図１３は、本発明の第７実施形態の釣具Ｇを示すもので、図１２の（ａ）は正面図、（ｂ）は側面図、（ｃ）は平面図である。図１３は本実施形態の動作説明図である。
本実施形態では、翼５１の前方下部に留め具５２により結合環５３を設け、翼５１の下部後方に尾翼５４を取り付け、尾翼５４の後部に釣り針５５を取り付けたものである。
このように、前方錘を設けず、重心位置を後方として釣り糸１０の末端に結合環５３を結び、図１３に示すように釣り糸１０の途中に錘１２を設けて釣り糸を静かに引くと、釣具Ｇは潜航せず、凧のように上昇する。この仕組みを利用し、投げ釣りの錘１２の後方に凧のような仕組みをもつ擬似餌を取り付ければ、遠投して引いてくるときに底から一定の高さを保つ擬似餌とすることができる。
【産業上の利用可能性】
【００４４】
本発明は、軽量で抵抗の少ない翼により、素早く泳ぐ魚、海底や水底にへばりついている魚やナマコ、表面が滑りやすく針が引っ掛かりにくいイカ、カニなど、あらゆるものを引っ掛けることのできる釣具や、疑似餌として軽量で素早い動きを演出できる釣具として有用に利用することができる。
【図面の簡単な説明】
【００４５】
【図１】本発明の第１実施形態を示すもので、（ａ）は正面図、（ｂ）は側面図、（ｃ）は平面図である。
【図２】第１実施形態の動作説明図である。
【図３】第１実施形態の釣具Ａを用いて中層魚を引っ掛け釣りしている状態の説明図である。
【図４】本発明の第１実施形態を変形させた例を示すもので、（ａ）は正面図、（ｂ）は側面図、（ｃ）は平面図である。
【図５】本発明の第２実施例を示すものであり、（ａ）は正面図、（ｂ）は側面図、（ｃ）は平面図である。
【図６】第２実施形態の釣具Ｂを用いて低層魚を引っ掛け釣りしている状態の説明図である。
【図７】本発明の第３実施形態の釣具Ｃを示すもので、（ａ）は正面図、（ｂ）は側面図、（ｃ）は平面図である。
【図８】本発明の第４実施形態の釣具Ｄを示すもので、（ａ）は正面図、（ｂ）は側面図、（ｃ）は平面図である。
【図９】本発明の第５実施形態の釣具Ｅを示すもので、（ａ）は正面図、（ｂ）は側面図、（ｃ）は平面図である。
【図１０】第５実施形態の動作説明図である。
【図１１】本発明の第６実施形態の釣具Ｆを示すもので、（ａ）は正面図、（ｂ）は側面図、（ｃ）は平面図である。
【図１２】本発明の第７実施形態の釣具Ｇを示すもので、（ａ）は正面図、（ｂ）は側面図、（ｃ）は平面図である。
【図１３】第７実施形態の動作説明図である。
【図１４】従来の引っ掛け釣りの釣具による釣り状況（中層魚）の説明図である。
【図１５】従来の引っ掛け釣りの釣具による釣り状況（低層魚）の説明図である。
【符号の説明】
【００４６】
１  翼
２  錘
３  結合環
４  尾翼
５  釣り針
１０  釣り糸
１１  釣り針
１２  錘
２１  翼
２２  錘
２３  補助翼
２４  結合環
３１  釣具本体
３２  翼
３３  錘
３４  結合環
３５  釣り針
４１  翼
４２  錘
４３  釣り針
４４  結合環
４５  尾翼
４６  毛
５１  翼
５２  留め具
５３  結合環
５４  尾翼
５５  釣り針
【図１】
2005110551.tif 000003
【図２】
2005110551.tif 000004
【図３】
2005110551.tif 000005
【図４】
2005110551.tif 000006
【図５】
2005110551.tif 000007
【図６】
2005110551.tif 000008
【図７】
2005110551.tif 000009
【図８】
2005110551.tif 000010
【図９】
2005110551.tif 000011
【図１０】
2005110551.tif 000012
【図１１】
2005110551.tif 000013
【図１２】
2005110551.tif 000014
【図１３】
2005110551.tif 000015
【図１４】
2005110551.tif 000016
【図１５】
2005110551.tif 000017